(57)【要約】      （修正有）【課題】扉の開放操作を軽快、かつ安全に行えるウイング式扉を提供する。【解決手段】ウイング式扉６の左右端が吊り戸棚の天板１２に設けたヒンジピン１５に枢支され、上記扉６の閉鎖過程では引っ張りバネ２４の弾力に抗して閉鎖されて、前面開口部の閉止時に扉６は引っ張りバネ２４の弾力により閉止力が付与され、上記扉６の開放時には、引っ張りバネ２４の弾力によりウイング式扉６に開放方向の跳ね上げ力が作用するように構成したもので、上記扉６の開放初期の過程では引っ張りバネ２４の弾力による助勢が少なく、次第にその助勢力が増大していくので、上記扉６の開放操作が楽である。【選択図】  図５
2004169463.tif 000002
【特許請求の範囲】
【請求項１】
戸棚の前面開口部を開閉するウイング式扉であって、前記扉は戸棚の天板上に枢支され、該扉の閉鎖過程では弾性部材の弾力に抗して閉鎖され、前記開口部の閉止時に扉は該弾力により閉止力が付与され、該扉の開放時は該弾力により該扉に開放方向の跳ね上げ力が作用することを特徴とするウイング式扉。
【請求項２】
前記扉は天板に対し枢動可能なヒンジ部材を有し、前記ヒンジ部材は一端が前記弾性部材に連結された連結アームの他端を枢動自在に支持している請求項１に記載のウイング式扉。
【請求項３】
前記ヒンジ部材は、取付位置が調節できるベースプレートを介して前記天板に取付けられている請求項２に記載のウイング式扉。
【請求項４】
前記ヒンジ部材はヒンジピンを介して天板に枢動可能に支持され、扉閉止時に前記連結アームの弾性部材を連結した一端部と他端枢動部とを結ぶ線上に該連結アームが位置できるように、該連結アームに該ヒンジピンとの当接を避ける凹部が形成されている請求項２または３に記載のウイング式扉。
【請求項５】
前記扉は開閉作用に応動するダンパ機構を備えている請求項１ないし４に記載のウイング式扉。
【発明の詳細な説明】
【０００１】
【発明の属する技術分野】
本発明は、戸棚の前面開口部を開閉するウイング式扉に関する。
【０００２】
【従来の技術】
従来の戸棚の前面開口部を開閉するウイング式扉は、戸棚に蝶番を設けてウイング式扉を枢動自在に枢着したもので、このウイング式扉はその閉止位置においてラッチ機構で閉止状態を維持し、扉開放時にはラッチ機構を解除して扉をバネ力を利用して跳ね上げるようにしていた（特許文献１参照）。又、蝶番の中にトーションバネを取付けて、扉の閉止位置においてはロック手段で閉止状態を維持し、扉開放時にはロック手段を解除して扉を前記トーションバネ力を利用して跳ね上げるようにしていた（特許文献２参照）。
【０００３】
【特許文献１】
特開平１１−２８０３２９号公報（第１−２頁、図３）
【特許文献２】
特開平１１−１０７６１９号公報（第１頁、図１）
【０００４】
【発明が解決しようとする課題】
しかしながら、従来のウイング式扉は全閉位置から開放する際に、ラッチ機構やロック手段を解除する操作が必要となり、手間がかかるばかりでなく、解除と同時に急に扉が旋回するので危険でもあった。
【０００５】
本発明は、このような状況に鑑みてなされたものであり、扉の開放操作を軽快、かつ安全に行えるウイング式扉を提供することを目的とするものである。
【０００６】
【課題を解決するための手段】
上記課題を解決するために、本発明のウイング式扉は、戸棚の前面開口部を開閉するウイング式扉であって、前記扉は戸棚の天板上に枢支され、該扉の閉鎖過程では弾性部材の弾力に抗して閉鎖され、前記開口部の閉止時に扉は該弾力により閉止力が付与され、該扉の開放時は該弾力により該扉に開放方向の跳ね上げ力が作用することを特徴としている。
この特徴によれば、扉の閉止位置では弾性部材の弾力により閉止状態が維持され、扉の開放時には、開放初期の過程において、弾力による助勢が少なく、次第にその助勢力が増大していくので、扉の開放操作が楽であり、開放動作と同時に急に扉が跳ね上がることも避けられる。
【０００７】
本発明のウイング式扉において、前記扉は天板に対し枢動可能なヒンジ部材を有し、前記ヒンジ部材は一端が前記弾性部材に連結された連結アームの他端を枢動自在に支持していることが好ましい。
このようにすれば、ヒンジ部材、連結アーム及びバネ部材という比較的簡素な構成で開閉操作の楽な扉の開閉機構を提供することができる。
【０００８】
本発明のウイング式扉において、前記ヒンジ部材は、取付位置が調節できるベースプレートを介して前記天板に取付けられていることが好ましい。
このようにすれば、ヒンジピン位置が取付位置と多少ずれていても、ベースプレートの位置を調節することで、扉の組付けを正確且つ容易に行うことができる。
【０００９】
本発明のウイング式扉において、前記ヒンジ部材はヒンジピンを介して天板に枢動可能に支持され、扉閉止時に前記連結アームの弾性部材を連結した一端部と他端枢動部とを結ぶ線上に該連結アームが位置できるように、該連結アームに該ヒンジピンとの当接を避ける凹部が形成されていることが好ましい。
このようにすれば、扉閉止時に、凹部によりキャッチが掛かり多少の振動が起きても扉のロック状態を確実に保持することができる。
【００１０】
本発明のウイング式扉において、前記扉は開閉作用に応動するダンパ機構を備えていることが好ましい。
このようにすれば、扉開放時に勢いよく扉が開放されても、ダンパ機構により跳ね上げスピードが抑えられるので、開放終端において扉がスムーズに停止できる。
【００１１】
【発明の実施の形態】
以下、本発明のウイング式扉について、図１、図２、図４の（ａ）、（ｂ）及び図５の（ａ）、（ｂ）を参照して説明する。図１は本発明の一実施形態に係り吊り戸棚の前面開口部にウイング式扉を備えた流し台の斜視図、図２は開放状態のウイング式扉を示す部分斜視図であり、図４の（ａ）は扉閉止時に、（ｂ）は扉開放初期過程時にそれぞれ作用する開閉機構の作用説明図であり、図５の（ａ）は扉開放過程時に、（ｂ）は扉開放終端時にそれぞれ作用する開閉機構の作用説明図である。
【００１２】
図１において、１は例えばシステムキッチン等の流し台であって、この流し台１にはシンク２、ガスレンジ４及びレンジフード５等が配置されており、例えばシンク２の上部に配置された戸棚として、例えば吊り戸棚８の前面開口部は上下に開閉するウイング式扉６で遮蔽されるようになっている。
【００１３】
ウイング式扉６は、図２に示すように、吊り戸棚８の天板１２上面の開口側前端両側に配置された本発明の要部である一対の開閉機構１０ａ、１０ｂによって上部の左右端が開閉可能に枢支されている。
【００１４】
上記開閉機構は、左右同一構造で構成されており、図４の（ａ）、（ｂ）及び図５の（ａ）、（ｂ）を参照して一方の開閉機構に付き詳述する。図４には一方の開閉機構１０ａが示されており、この開閉機構１０ａは、ウイング式扉６の閉止時及び開放初期の過程において回動抵抗力を付与する機能を有している。
【００１５】
開閉機構１０ａは、天板１２上面に図示しない取付位置の調節が可能な板状の支持金具を介して枠状に形成されたベースフレーム１４に支持されている。支持金具の調節手段は公知のいかなるものでもよく、例えば支持金具に前後方向を向く長孔を設け、天板に取付けたネジをこの長穴に挿通し、前後方向の位置が決まったらネジを締め込むようにしてもよい。また天板１２の下方から挿通したボルトにより支持金具を上下方向に調節した後にネジを締め込めば、前後方向及び上下方向の双方が同時に調節できる。
【００１６】
ベースフレーム１４の前端に回動自在に枢支されたヒンジピン１５には、ウイング式扉６上方の裏面側両側より突設した一対のヒンジ部材１６が止着されている。
【００１７】
ヒンジ部材１６のウイング式扉６側寄りには、連結アーム１８の他端を枢動自在に支持する枢動ピン２０が設けられ、連結アーム１８の一端側面から内方に突出した係止軸２２には、他端側をベースフレーム１４後端側面の係止ピン２５に係止した弾性部材としての引っ張りバネ２４の一端が係止している。
【００１８】
図４の（ａ）に示すように、ウイング式扉６が閉止した時には連結アーム１８は、枢動ピン２０と係止軸２２を結ぶ線が係止ピン２５を中心として、ヒンジピン１５と係止ピン２５とを結ぶ線Ｘ−ＸよりＰだけ反時計回りに回動した位置にあり、枢動ピン２０とヒンジピン１５を結ぶ線は、ヒンジピン１５と係止ピン２５とを結ぶ線Ｘ−Ｘより約３度反時計回りに回動した位置にある。
【００１９】
連結アーム１８がこの位置を採るために、連結アーム１８のヒンジピン１５近傍下側面には、ヒンジピン１５との当接を避ける切欠き溝の凹部２６が形成されている。
【００２０】
またヒンジピン１５は、ベースフレーム１４の片側側面に取付けられたダンパ機構２８の出力軸に連結されており、ダンパ機構２８がウイング式扉６の開閉速度に応動することで、開放端における回動速度が緩和されるように構成されている。
【００２１】
次に、ウイング式扉の開閉作用に付き図３（ａ）、（ｂ）及び図４の（ａ）、（ｂ）及び図５の（ａ）、（ｂ）を参照して説明する。図３（ａ）、（ｂ）は、ウイング式扉の閉止時ならびに開放時における作用説明図である。
【００２２】
先ず、天板１２上面に取付けられたベースフレーム１４は、天板１２の下面より、支持金具を介して前後方向ならびに天板１２の下面から挿通したボルトを介して上下方向への調節が可能であることから、閉止時におけるウイング式扉６のヒンジピン１５の位置とベースフレーム１４のヒンジピン１５を支持する軸穴位置とが少しずれていても、支持金具の取付位置を調節することで、ウイング式扉６の組付けを正確且つ容易に行うことができる。
【００２３】
ウイング式扉６が閉止されたＡ位置（図３参照）の状態では、図４（ａ）に示すように連結アーム１８は、枢動ピン２０とヒンジピン１５を結ぶ線が、ヒンジピン１５と係止ピン２５とを結ぶ線Ｘ−Ｘより約３度反時計回りに回動した位置にあるので、引っ張りバネ２４の弾力は扉６に閉止状態を維持しようとする回転モーメントを与えることができる。このＡ位置においては、ヒンジピン１５との当接を避ける凹部２６がヒンジピン１５と係合してキャッチが掛かり多少の振動が起きても扉のロック状態を確実に保持することができる。
【００２４】
図３（ｂ）において、ウイング式扉６がＡ位置からＢ位置に回動する開放初期の過程では、連結アーム１８の枢動ピン２０と係止軸２２を結ぶ線が、ヒンジピン１５と係止ピン２５とを結ぶ線Ｘ−Ｘ上に次第に近接し、扉６を閉止しようとする回転モーメントはＢ位置に近づくに従って小さくなり、ウイング式扉６がＢ位置にくると、図４の（ｂ）に示すように、線Ｘ−Ｘ上に枢動ピン２０と係止軸２２を結ぶ線が位置して、引っ張りバネ２４の弾力による扉６を閉止しようとする回転モーメントはなくなる。
【００２５】
したがって、ウイング式扉６が閉止されたＡ位置からＢ位置に回動する開放初期の過程までは、引っ張りバネ２４が相対的に閉鎖力として作用するので、少しの外力が作用しても扉には常に閉じようと力が働いていることになる。
【００２６】
図３（ｂ）において、ウイング式扉６がＢ位置から開放方向に更に回動する過程では、図５の（ａ）に示すように、枢動ピン２０がヒンジピン１５に対し若干上方に位置するようになるが、引っ張りバネ２４の作用線Ｘ―Ｙとヒンジピン１５と枢動ピン２０とを結ぶ直線Ｒとの成す内角が小さいため、引っ張りバネ２４の弾力によるウイング式扉６を上方に押し上げる助勢力が少なく、開放動作と同時に急に扉が跳ね上がることが避けられる。
【００２７】
図３（ｂ）に示すように、ウイング式扉６が矢印方向に回動して開放終端のＣ位置まで開放する過程では、ヒンジ部材１６が図５の（ｂ）に示すように、起立方向に回動して枢動ピン２０がヒンジピン１５のほぼ直上に向かって位置するようになるため、ヒンジピン１５の枢動ピン２０とを結ぶ直線Ｒと引っ張りバネ２４の作用線Ｘ―Ｙとの成す内角が次第に大きくなり、上方への跳ね上げられた際に、引っ張りバネ２４の作用力で扉６を上方に押し上げる助勢力は次第に増大する。
【００２８】
扉６を上方に押し上げる助勢力は次第に増大して、扉６が開放方向に向かって勢いよく開放されても、ダンパ機構２８により跳ね上げスピードが抑えられるので、開放終端において扉をスムーズに停止することができる。
【００２９】
図３（ａ）に示すように、扉６が開放位置Ｃより閉止位置Ａに向かう過程では、引っ張りバネ２４の扉６を上方に押し上げる助勢力に抗して押し下げることになるが、扉の重力が作用する方向であるので、大きな押し下げ力は必要とせず、しかもバネ助勢力は扉６の閉鎖方向に向かって小さくなるので、操作性がよく、Ｂ位置からＡ位置の間では閉止力が付加され、閉止位置Ａでは、上述の如く、キャッチが掛かり扉のロック状態を確実に保持することができる。
【００３０】
【発明の効果】
本発明は以下の効果を奏する。
【００３１】
（ａ）請求項１項の発明によれば、扉の閉止位置では自動的に閉止状態が維持されるので、扉の開放時には、開放初期の過程において、弾力による助勢が少なく、次第にその助勢力が増大していくので、扉の開放操作が楽であり、開放動作と同時に急に扉が跳ね上がることも避けられる。
【００３２】
（ｂ）請求項２項の発明によれば、ヒンジ部材、連結アーム及びバネ部材という比較的簡素な構成で開閉操作の楽な扉の開閉機構を提供することができる。
【００３３】
（ｃ）請求項３項の発明によれば、ヒンジピン位置が取付位置と多少ずれていても、ベースプレートの位置を調節することで、扉の組付けを正確且つ容易に行うことができる。
【００３４】
（ｄ）請求項４項の発明によれば、扉閉止時に、凹部によりキャッチが掛かり多少の振動が起きても扉のロック状態を確実に保持することができる。
【００３５】
（ｅ）請求項５項の発明によれば、扉開放時に勢いよく扉が開放されても、ダンパ機構により跳ね上げスピードが抑えられるので、開放終端において扉がスムーズに停止できる。
【図面の簡単な説明】
【図１】本発明の一実施形態に係り吊り戸棚の前面開口部にウイング式扉を備えた流し台の斜視図である。
【図２】開放状態のウイング式扉を示す部分斜視図である。
【図３】（ａ）、（ｂ）は、ウイング式扉の閉止時ならびに開放時における作用説明図である。
【図４】（ａ）は扉閉止時に、（ｂ）は扉開放初期過程時にそれぞれ作用する開閉機構の作用説明図である。
【図５】（ａ）は扉開放過程時に、（ｂ）は扉開放終端時にそれぞれ作用する開閉機構の作用説明図である。
【符号の説明】
１                        流し台
２                        シンク
４                        ガスレンジ
５                        レンジフード
６                        ウイング式扉
８                        吊り戸棚
１０ａ、１０ｂ            開閉機構
１２                      天板
１４                      ベースフレーム
１５                      ヒンジピン
１６                      ヒンジ部材
１８                      連結アーム
２０                      枢動ピン
２２                      係止軸
２４                      引っ張りバネ
２５                      係止ピン
２６                      凹部
２８                      ダンパ機構
Ｒ                        直線
Ｘ−Ｘ                    ヒンジピンと係止ピンとを結ぶ線
Ｘ―Ｙ                    バネの作用線
【図１】
2004169463.tif 000003
【図２】
2004169463.tif 000004
【図３】
2004169463.tif 000005
【図４】
2004169463.tif 000006
【図５】
2004169463.tif 000007